(57)【要約】      （修正有）【課題】高倍率の対物レンズを使用した際のコンデンサレンズ等のように、透過照明用光学部品を標本の直前に配置する場合であっても、透過照明用光学部品から自家蛍光が発生することを防止することのできる顕微鏡の提供。【解決手段】落射蛍光観察を行うための落射蛍光照明光学系１７と、透過観察を行うための透過照明光学系１８とを切り替え可能に備えた顕微鏡１において、透過照明光学系の光路Ｌ１における標本Ａの直前に、近接光学部品４２を光路に対して挿脱可能に備え、近接光学部品４２を光路Ｌ１から脱離した際に、光路Ｌ１における標本Ａの直前に、光路Ｌ１に対して、蛍光照明を遮光する遮光部材を挿脱可能に備える。【選択図】図１
2010156847.tif 000002
【特許請求の範囲】
【請求項１】
落射蛍光観察を行うための落射蛍光照明光学系と、透過観察を行うための透過照明光学系とを切り替え可能に備えた顕微鏡において、
前記透過照明光学系の光路における標本の直前に、近接光学部品を前記光路に対して挿脱可能に備え、
前記近接光学部品を前記光路から脱離した際に、前記光路における前記標本の直前に、前記光路に対して、蛍光照明を遮光する遮光部材を挿脱可能に備えることを特徴とする顕微鏡。
【請求項２】
前記遮光部材は、前記近接光学部品の前記光路からの脱離動作に連動して前記光路に挿入されることを特徴とする請求項１に記載の顕微鏡。
【請求項３】
前記透過照明光学系は、コンデンサレンズを有するコンデンサを備え、
該コンデンサに前記遮光部材が、前記光路に対して挿脱可能に保持されていることを特徴とする請求項１又は２の何れか一つに記載の顕微鏡。
【請求項４】
前記コンデンサには、複数の光学素子を保持し、移動することにより、前記光学素子を前記光路に挿脱する光学素子保持部材が備えられ、前記遮光部材は、前記光学素子保持部材の一部であることを特徴とする請求項３に記載の顕微鏡。
【請求項５】
前記標本が載置されるステージを有し、該ステージに前記遮光部材が設置されていることを特徴とする請求項１又は２の何れか一つに記載の顕微鏡。
【請求項６】
前記落射蛍光照明光学系と前記透過照明光学系との切り替えを検出する切替検出手段と、
前記落射蛍光照明光学系に切り替えた際に、前記近接光学部品を前記光路から脱離させるとともに前記遮光部材を前記光路に挿入し、前記透過照明光学系に切り替えた際に、前記遮光部材を前記光路から脱離させる制御装置と、
を備えることを特徴とする請求項１〜５の何れか一つに記載の顕微鏡。
【発明の詳細な説明】
【技術分野】
【０００１】
本発明は、蛍光観察用の落射蛍光照明光学系と、透過観察用の透過照明光学系とを切り替え可能に備えた顕微鏡に関するものである。
【背景技術】
【０００２】
従来、落射蛍光照明光学系と透過照明光学系とを備え、観察に使用する光学系を切り替えて観察できる顕微鏡がある。この様な顕微鏡の場合、蛍光観察の際に、標本を透過した蛍光照明が透過照明用光学部品に照射され、透過照明用光学部品から自家蛍光が発生し、ノイズとなる問題があった。この自家蛍光によるノイズを無くすために、透過照明用光学部品と標本との間にシャッターを設けた顕微鏡がある（例えば特許文献１参照）。
【０００３】
この顕微鏡は、最も標本に近い透過照明用光学部品であるコンデンサレンズと、ステージとの間の透過照明の光路に対して、挿脱可能にシャッターを配置している。そして、このシャッターによって、蛍光照明の光が透過照明用光学部品に照射されることを阻止している。
【０００４】
【特許文献１】実開平２−１４０５１４号公報
【発明の開示】
【発明が解決しようとする課題】
【０００５】
しかし、高倍率の対物レンズを使用する場合等のように、コンデンサレンズを標本の直前に配置する場合は、コンデンサレンズと標本の間にシャッターを挿入することが困難であった。
【０００６】
そこで、本発明はこのような従来の問題に鑑み、高倍率の対物レンズを使用した際のコンデンサレンズ等のように、透過照明用光学部品を標本の直前に配置する場合であっても、透過照明用光学部品から自家蛍光が発生することを防止することのできる顕微鏡の提供を目的としてなされたものである。
【課題を解決するための手段】
【０００７】
上述の如き従来の問題を解決し、所期の目的を達成するための本発明にかかる顕微鏡は、落射蛍光観察を行うための落射蛍光照明光学系と、透過観察を行うための透過照明光学系とを切り替え可能に備えた顕微鏡において、前記透過照明光学系の光路における標本の直前に、近接光学部品を前記光路に対して挿脱可能に備え、前記近接光学部品を前記光路から脱離した際に、前記光路における前記標本の直前に、前記光路に対して、蛍光照明を遮光する遮光部材を挿脱可能に備えることを特徴とする。
【０００８】
また、本発明にかかる顕微鏡は、上記発明において、前記遮光部材は、前記近接光学部品の前記光路からの脱離動作に連動して前記光路に挿入されることを特徴とする。
【０００９】
また、本発明にかかる顕微鏡は、上記発明において、前記透過照明光学系は、コンデンサレンズを有するコンデンサを備え、該コンデンサに前記遮光部材が、前記光路に対して挿脱可能に保持されていることを特徴とする。
【００１０】
また、本発明にかかる顕微鏡は、上記発明において、前記コンデンサには、複数の光学素子を保持し、移動することにより、前記光学素子を前記光路に挿脱する光学素子保持部材が備えられ、前記遮光部材は、前記光学素子保持部材の一部であることを特徴とする。
【００１１】
また、本発明にかかる顕微鏡は、上記発明において、前記標本が載置されるステージを有し、該ステージに前記遮光部材が設置されていることを特徴とする。
【００１２】
また、本発明にかかる顕微鏡は、上記発明において、前記落射蛍光照明光学系と前記透過照明光学系との切り替えを検出する切替検出手段と、前記落射蛍光照明光学系に切り替えた際に、前記近接光学部品を前記光路から脱離させるとともに前記遮光部材を前記光路に挿入し、前記透過照明光学系に切り替えた際に、前記遮光部材を前記光路から脱離させる制御装置と、を備えることを特徴とする。
【発明の効果】
【００１３】
本発明にかかる顕微鏡は、落射蛍光観察を行うための落射蛍光照明光学系と、透過観察を行うための透過照明光学系とを切り替え可能に備えた顕微鏡において、前記透過照明光学系の光路における標本の直前に、近接光学部品を前記光路に対して挿脱可能に備え、前記近接光学部品を前記光路から脱離した際に、前記光路における前記標本の直前に、前記光路に対して、蛍光照明を遮光する遮光部材を挿脱可能に備えるので、蛍光観察時に、蛍光照明が透過照明光学系の光学部品に照射されることを防止することができ、透過照明光学系の光学部品から自家蛍光が発生しないため、蛍光観察を良好に行うことができる。
【発明を実施するための最良の形態】
【００１４】
以下に、本発明にかかる顕微鏡の実施の形態を図面に基づいて詳細に説明する。以下、図においてＸ軸方向が顕微鏡の左右方向、Ｙ軸方向が顕微鏡の前後方向、Ｚ軸方向が顕微鏡の上下方向である。また、Ｙ軸の正の方向が、顕微鏡の正面側である。
【００１５】
（実施の形態１）
図１は、本実施の形態１にかかる顕微鏡の構成を一部切り欠いて示す左側面図であり、図２は、そのコンデンサ部分を示す平面図であり、図３は、そのコンデンサにおける遮光部材の動きを示す平断面図であり、図４は、コンデンサの背面図である。
【００１６】
顕微鏡１は、ベース部２と柱部３とアーム部４とを備えている。ベース部２は、机上等の顕微鏡１が設置される場所に直接載置される部分である。柱部３は、ベース部２の奥側に立設されている。アーム部４は、柱部３の上端から顕微鏡１正面側に向かって延在されている部分である。
【００１７】
柱部３の前面には、可動ガイド５が、柱部３に対して上下動可能に設置されている。可動ガイド５の前面には、ステージホルダ６が着脱可能に設置され、更にこのステージホルダ６に、ステージ７が着脱可能に設置されている。ステージ７は、観察対象である標本Ａが載置される標本載置面７ａを備えており、図示しないステージハンドルで、ステージホルダ６に対して前後左右方向に移動させることができる。
【００１８】
また、可動ガイド５は、ベース部２に設置されたフォーカスハンドル８を回転させることにより、上下に移動する。またその上下移動は、図示しないギヤ、ラックピニオン等の公知の手段による。
【００１９】
アーム部４には、観察部１１とレボルバ１２とが備えられている。観察部１１は、アーム部４の延在方向先端側の上部に設置され、結像レンズ１３と、プリズム１４と、接眼レンズ１５とを備えている。レボルバ１２は、アーム部４の延在方向先端側の下部に設置されている。レボルバ１２は、倍率の異なる複数の対物レンズが装着可能となっており、レボルバ１２を回転させることにより、所望の倍率の対物レンズ１６を光路に挿入して観察することができる。
【００２０】
また、顕微鏡１は、落射蛍光照明光学系１７と透過照明光学系１８とを備え、観察に使用する照明光学系を切り替えることができる。照明光学系を切り替えることにより、標本Ａに対する透過観察と落射蛍光観察が観察部１１において可能となっている。
【００２１】
落射蛍光照明光学系１７は、落射蛍光観察用の照明光学系であり、蛍光照明用光源２１と、照明用レンズ２２と、励起フィルタ２３と、ダイクロイックミラー２４と、バリアフィルタ２５とを備えている。また、蛍光照明用光源２１から出射された照明光が、落射蛍光照明光学系１７の光学部品を通って、標本Ａに至る光路が落射蛍光照明光路Ｌ２となっている。これら蛍光照明用光源２１、照明用レンズ２２、励起フィルタ２３、ダイクロイックミラー２４、バリアフィルタ２５は、顕微鏡１のアーム部４に設置されている。また、励起フィルタ２３、ダイクロイックミラー２４、バリアフィルタ２５は、アーム部４の観察側ターレット２６に設置されている。
【００２２】
観察側ターレット２６は、回転軸２７と、この回転軸２７周りに備えられた複数の光学ユニットとを有している。この観察側ターレット２６は、回転軸２７を中心に回転させることにより、光学ユニットを選択的に光路に挿入することができる。観察側ターレット２６には、光学ユニットとして、前述の励起フィルタ２３、ダイクロイックミラー２４、バリアフィルタ２５のセットからなるユニットや、微分干渉観察用のアナライザ２８を備えたユニット等を備えている。観察側ターレット２６は、透過観察に使用する光学ユニットと蛍光観察に使用する光学ユニットとの切り替えを行うことができる。
【００２３】
更に、観察側ターレット２６は、蛍光観察用の光学ユニットとして、励起フィルタ２３、ダイクロイックミラー２４、バリアフィルタ２５のセットからなる光学ユニットを複数有しており、標本Ａに染色された蛍光色素に合わせてこれらの光学ユニットを切り替えることができる。
【００２４】
蛍光照明用光源２１から出射した照明光は、照明用レンズ２２を透過し、励起フィルタ２３により標本Ａに染色された蛍光色素に必要な励起波長のみが透過される。透過された照明光は、ダイクロイックミラー２４により対物レンズ１６に向けて反射され、対物レンズ１６を透過し、標本Ａに照射される。照明光を照射された標本Ａからは、標本Ａに染色された蛍光色素が励起され、蛍光が発せられる。この蛍光は、対物レンズ１６、ダイクロイックミラー２４を透過し、バリアフィルタ２５により観察に必要な蛍光波長のみが透過され、結像レンズ１３、プリズム１４、その他図示しないプリズムを通って結像され、接眼レンズ１５により目視で観察できるようになっている。
【００２５】
一方、透過照明光学系１８は、透過観察用の照明光学系であり、透過照明用光源３１と、コレクタレンズ３２と、視野絞り３３と、ミラー３４と、窓レンズ３５とコンデンサ３６とを備えている。透過照明用光源３１と、コレクタレンズ３２と、視野絞り３３と、ミラー３４と、窓レンズ３５とは、ベース部２に設置されている。コンデンサ３６は、コンデンサホルダ３７に丸アリ等の公知の手段により着脱可能に保持されている。コンデンサホルダ３７は、ステージホルダ６に対して上下に移動可能に、ステージホルダ６に設置されている。コンデンサホルダ３７の上下動は、ステージホルダ６に備えられたコンデンサハンドル３８を回転させることにより行う。
【００２６】
コンデンサ３６は、ターレット４１と、コンデンサレンズ先玉４２と、第一群レンズ４３と、遮光部材４４と、これらを支持するコンデンサ枠体４５を備えている。
【００２７】
ターレット４１は、略円盤状に形成され、その中心部に設けられた回転軸４６を中心に回転するようになっている。回転軸４６は、後述するコンデンサ枠体４５のターレット支持部４７に支持されており、ターレット４１が、コンデンサ枠体４５に対して回転するようになっている。ターレット４１の回転軸４６の周囲には、同一円周上に複数の光学素子４８ａ，４８ｂ，４８ｃ，４８ｄが備えられ、ターレット４１を回転させることにより、所望の光学素子が選択的に透過照明光路Ｌ１に挿入できるようになっている。透過照明光路Ｌ１は、透過照明光学系の光路であって、光源から出射された照明光が、透過照明光学系の光学部品を通って、標本に至る光路である。
【００２８】
光学素子４８ａ，４８ｂ，４８ｃ，４８ｄは、ＤＩＣプリズム（微分干渉用プリズム）であり、対物レンズの倍率に応じて適宜適正なＤＩＣプリズムを光路に挿入することで、微分干渉観察が可能になっている。また、ターレットの光学素子４８ａ，４８ｂ，４８ｃ，４８ｄより上側には、開口絞り４９が備えられている。
【００２９】
ターレット支持部４７は、ターレット４１の下面に沿って略円盤状に形成されている。ターレット支持部４７の顕微鏡１後方側の縁部には、ターレット４１の側面に沿うように、壁状部４７ａが立ち上がっている。ターレット支持部４７の下側には、ターレット支持部４７と一体に先玉支持部５１が備えられている。先玉支持部５１は、ターレット支持部４７の径より小さな径の略円筒形状に形成されている。先玉支持部５１の下側には、先玉支持部５１と一体に第一群レンズ保持部５２が形成され、第一群レンズ４３が保持されている。第一群レンズ保持部５２がコンデンサホルダ３７に保持されることにより、コンデンサ３６がコンデンサホルダ３７に取り付けられている。
【００３０】
コンデンサレンズ先玉４２は、先玉保持腕４２ａと先玉レンズ４２ｂ（近接光学部品）とを有している。尚、この先玉レンズ４２ｂと第一群レンズ４３がコンデンサレンズを構成している。先玉保持腕４２ａは、その一端側が先玉支持部５１の背面側に回動可能に支持されるとともに、他端側がターレット４１の上側に被さるように形成されている。先玉保持腕４２ａの上側に被さっている部分には、先玉レンズ４２ｂが設置されている。先玉保持腕４２ａの一端側には、先玉回転軸５３が固定されており、先玉保持腕４２ａがこの先玉回転軸５３を回動中心として回動するようになっている。先玉保持腕４２ａは、この先玉回転軸５３を介して、先玉支持部５１に支持されている。
【００３１】
先玉回転軸５３は、顕微鏡１の前後方向に伸びるように先玉支持部５１に設置されている。先玉回転軸５３の一方側端部は、先玉支持部５１の背面側に突出しており、この突出部分に先玉保持腕４２ａが固定されている。先玉回転軸５３は、先玉支持部５１に対して、回動可能となっており、先玉回転軸５３が回動することにより一体に先玉保持腕４２ａが回動する。従って、先玉保持腕４２ａは、顕微鏡１正面からみて、時計回り方向及び半時計回り方向に回動するようになっている。この回動操作は、操作用回転軸５４を介して行う。
【００３２】
操作用回転軸５４は、顕微鏡１の前後方向に伸びるように先玉支持部５１に設置されている。操作用回転軸５４は、先玉支持部５１に対して回動可能に支持されている。操作用回転軸５４の一方側端部は、顕微鏡１正面側に突出し、操作部となっている。操作用回転軸５４の他方側端部は、先玉支持部５１の背面側に突出している。そして、この操作用回転軸５４の他方側端部と、先玉回転軸５３の突出端部にかけ渡すようにして環状のベルト５５が設置されている。このベルト５５によって、操作用回転軸５４の回動が先玉回転軸５３に伝達され、先玉回転軸５３が回動するようになっている。
【００３３】
コンデンサレンズ先玉４２は、先玉回転軸５３を回動中心として、先玉支持部５１に対して回動され、挿入位置と、退避位置と、遮光位置とに配置される。挿入位置は、先玉レンズ４２ｂが透過照明光路Ｌ１に挿入される位置である。挿入位置において先玉レンズ４２ｂは、顕微鏡１の背面側からみて、先玉回転軸５３を中心として１２時の方向に配置されている。
【００３４】
退避位置は、コンデンサレンズ先玉４２を挿入位置から一方側に回動させた位置であり、先玉レンズ４２ｂが透過照明光路Ｌ１から完全に離脱した状態となっている。遮光位置は、コンデンサレンズ先玉４２を挿入位置から他方側に回動させた位置であり、先玉レンズ４２ｂが透過照明光路Ｌ１から完全に離脱した状態となっている。コンデンサレンズ先玉４２が、遮光位置に配置された状態で、遮光部材４４が透過照明光路Ｌ１に挿入されるようになっている。
【００３５】
遮光部材４４は、細長板状に形成された腕部４４ａと、この腕部４４ａの長さ方向一端側に形成された円盤状の遮光部４４ｂとを有している。腕部４４ａの長さ方向他端側には、ピン４４ｃが板状面から突出するように形成されている。このピン４４ｃの突出方向先端には、球形状の頭部が形成されている。遮光部４４ｂは、ターレット４１に設置されている光学素子４８ａ，４８ｂ，４８ｃ，４８ｄの露出部分を覆う大きさに形成されている。
【００３６】
遮光部材４４は、その腕部４４ａが回転軸５６を介して壁状部４７ａに回動可能に支持され、遮光部４４ｂの円盤状面がターレット４１の上面と対向するように配置されている。遮光部材４４は、回転軸５６を中心にターレット支持部４７に対して回動し、遮光部４４ｂがターレット４１の上面に沿って移動するようになっている。回転軸５６は、上下方向に伸びるように壁状部４７ａに設置されており、遮光部材４４の腕部４４ａのピン４４ｃと遮光部４４ｂの間であって、ややピン４４ｃよりの部分を貫通している。腕部４４ａのピン４４ｃが形成されている側の端部は、壁状部４７ａから後方に突出している。
【００３７】
遮光部材４４は、回転軸５６を回動中心として、挿入位置と退避位置との間を回動するようになっている。挿入位置は、遮光部材４４の遮光部４４ｂを透過照明光路Ｌ１に挿入し、遮光部４４ｂの円盤状面で蛍光照明を遮光する位置である。遮光位置は、遮光部４４ｂを透過照明光路Ｌ１から退避させる位置である。遮光部材４４は、蛍光照明によって励起光を発生し難い金属等の材質によって形成されている。
【００３８】
遮光部材４４には、バネ５７が設置されている。このバネ５７は、その一端が、遮光部材４４に固定され、他端が、壁状部４７ａに固定されている。遮光部材４４は、バネ５７によって、退避位置側に付勢されている。
【００３９】
遮光部材４４の回動動作は、コンデンサレンズ先玉４２ｂの回動動作に連動するようになっている。コンデンサレンズ先玉４２が挿入位置にある場合、遮光部材４４は、退避位置に配置される。コンデンサレンズ先玉４２を挿入位置から遮光位置に回動させると、先玉保持腕４２ａの側面が、遮光部材４４のピン４４ｃの頭部に当接され、遮光部材４４の腕部４４ａの先端を右方向に押す。すると、遮光部材４４は、回転軸５６を中心として回動し、遮光部４４ｂが光路に挿入される。こうして、コンデンサレンズ先玉４２が遮光位置に配置された際には、遮光部材４４が挿入位置に配置される。
【００４０】
コンデンサレンズ先玉４２を遮光位置から挿入位置へ回動させた際には、先玉保持腕４２ａのピン４４ｃの頭部への押圧が解除され、遮光部材４４がバネ５７の付勢により退避位置に回動される。
【００４１】
透過照明用光源３１であるハロゲン光源から出射された透過観察用の照明光は、順番に、コレクタレンズ３２、視野絞り３３、ミラー３４、窓レンズ３５、コンデンサ３６の光学部品を通り、標本Ａに照射される。詳細には、コレクタレンズ３２により概略平行光になった照明光は、窓レンズ３５、第一群レンズ４３により、開口絞り４９へ集光され、透過照明用光源３１の像が投影され、その後、先玉レンズ４２ｂにより標本Ａ全体をむらなく照明する。開口絞り４９は、その径を変更することで、標本Ａのコントラストを変えることができる。視野絞りは、その径を変更することで、標本面上での照明範囲を変えることができる。
【００４２】
また、図示していないが、光路のＤＩＣプリズムより光源側には、ポラライザが光路に挿入可能となっている。また、観察系のＤＩＣプリズムがレボルバ１２に備えられ、光路に挿入可能となっている。
【００４３】
蛍光観察を行う際には、操作用回転軸５４の操作部をつまんで回動させ、コンデンサレンズ先玉４２を遮光位置に配置する。このとき遮光部材４４が透過照明光路Ｌ１に挿入され、遮光されるので、透過照明用の光学部品に蛍光照明が照射されず、自家蛍光によるノイズの発生が抑制され、良好に蛍光観察を行うことができる。
【００４４】
また、透過観察を行う際には、また、操作用回転軸５４を回動させ、コンデンサレンズ先玉４２を挿入位置もしくは、退避位置に配置して、観察を行う。この際には、遮光部材４４は、退避位置に配置され、透過観察を行うことが可能となっている。
【００４５】
コンデンサレンズ先玉４２は、例えば、対物レンズが４倍以下の時はコンデンサレンズ先玉４２を透過照明光路Ｌ１から退避させて観察を行い、対物レンズが１０〜１００倍の時には、コンデンサレンズ先玉４２を透過照明光路Ｌ１に挿入して、観察を行う。また、透過観察の際に、コンデンサレンズ先玉４２を透過照明光路Ｌ１から退避させる際には、前述の退避位置に退避させる。
【００４６】
先玉レンズ４２ｂの透過照明光路Ｌ１からの退避に連動して、遮光部材４４が透過照明光路Ｌ１に挿入されるので、操作性がよい。先玉レンズ４２ｂの操作と、遮光部材４４の操作とを同一の操作部（操作用回転軸５４の操作部）で操作を行うことができるので、安価で操作性がよい。
【００４７】
尚、観察側ターレット２６には、光学ユニットとして空孔のみを有する光学ユニットを備えていてもよい。
【００４８】
（実施の形態２）
図５は、本実施の形態２にかかる顕微鏡の要部を示す背面図である。以下、実施の形態１で説明した部分と同様な部分には同じ符号を付し、説明を省略する。
【００４９】
本実施の形態２にかかる顕微鏡は、実施の形態１の顕微鏡１において、コンデンサ３６の代わりに、コンデンサ７０を設置したものである。コンデンサ７０は、ターレット４１と、コンデンサレンズ先玉７１と、第一群レンズ４３と、これらを支持するコンデンサ枠体を備えている。コンデンサ枠体は、ターレット支持部４７と、先玉支持部５１と、第一群レンズ保持部５２とを有している。
【００５０】
本実施の形態２のコンデンサレンズ先玉７１は、先玉保持腕４２ａと先玉レンズ４２ｂと遮光部材７２とストッパ７３とコイルバネ７４とを有している。先玉保持腕４２ａは、その一端側が先玉支持部５１の背面側に回動可能に支持されるとともに、他端側がターレット４１の上側に被さるように形成されている。先玉保持腕４２ａの上側に被さっている部分（以下、頭部と記す）には、先玉レンズ４２ｂが設置されている。先玉保持腕４２ａの一端側には、先玉回転軸５３が固定されている。コンデンサレンズ先玉７１は、この先玉回転軸５３を介して、先玉支持部５１に支持されている。コンデンサレンズ先玉７１は、先玉回転軸５３を回動中心として、先玉支持部５１に対して回動する。
【００５１】
コンデンサレンズ先玉７１は、回動することにより、挿入位置と、退避位置と、遮光位置とに配置される。挿入位置は、先玉レンズ４２ｂが透過照明光路Ｌ１に挿入される位置である。挿入位置において先玉レンズ４２ｂは、顕微鏡の背面側からみて、先玉回転軸５３を中心として１２時の方向に配置されている。
【００５２】
退避位置は、コンデンサレンズ先玉７１を挿入位置から一方側に回動させた位置であり、先玉レンズ４２ｂが透過照明光路Ｌ１から完全に離脱した状態となる。遮光位置は、コンデンサレンズ先玉７１を挿入位置から他方側に回動させた位置であり、先玉レンズ４２ｂが透過照明光路Ｌ１から完全に離脱した状態となっている。コンデンサレンズ先玉７１が、遮光位置に配置された状態で、後述する遮光部材７２が透過照明光路Ｌ１に挿入されるようになっている。
【００５３】
遮光部材７２は、平板状に形成され、先玉保持腕４２ａの頭部から、コンデンサレンズ先玉７１の回動方向一方側（退避位置側）に突出している。遮光部材７２は、その板状面が上下方向を向くように配置されている。遮光部材７２は、蛍光照明によって励起光を発生し難い金属等の材質によって形成されている。
【００５４】
遮光部材７２は、その端部が、先玉保持腕４２ａの頭部の側面側に回動可能に支持され、先玉保持腕４２ａに対して上下方向に回動するようになっている。遮光部材７２には、ネジリコイルバネ７４が設置されている。ネジリコイルバネ７４は、その中心軸が遮光部材７２の回動中心である回転軸と同軸配置となるように設置され、遮光部材７２を後述するストッパ７３側（下側）に付勢している。
【００５５】
ストッパ７３は、板状に形成されている。ストッパ７３は、先玉保持腕４２ａの頭部において、遮光部材７２の直下に、ストッパ７３の板状面が遮光部材７２の板状面と対向するように突設され、遮光部材７２の下側方向への回動を規制している。
【００５６】
コンデンサレンズ先玉７１が、遮光位置に配置された際には、遮光部材７２が透過照明光路に挿入された状態となっている。コンデンサレンズ先玉７１を挿入位置に回動させると、遮光部材７２は、透過照明光路Ｌ１から完全に離脱した状態となる。コンデンサレンズ先玉７１を退避位置に回動させると、遮光部材７２がターレット４１もしくはターレット支持部４７に当接されるが、遮光部材７２は、回動可能に設置されているので、遮光部材７２の突出方向先端側が、ターレットもしくはターレット支持部から逃げる方向に回動し、遮光部材７２とターレットもしくはターレット支持部と干渉しないようになっている。本実施の形態２における顕微鏡は、このように構成することにより、実施の形態１と同様の効果を奏するとともに、省スペースでコンパクトに構成できる。
【００５７】
（実施の形態３）
図６は、本実施の形態３にかかる顕微鏡の要部を示す背面図である。以下、実施の形態１で説明した部分と同様な部分には同じ符号を付し、説明を省略する。本実施の形態３における顕微鏡は、遮光部材の設置位置が実施の形態１とは異なるがその他の部分は実施の形態１と同様である。即ち、本実施の形態３において、遮光部材はステージに設置されており、ターレット支持部４７には、遮光部材４４とバネ５７と回転軸５６は設置されていない。
【００５８】
本実施の形態３における遮光部材７７は、略円盤状に形成され、ステージ７の下面に下向きに突設されている。遮光部材７７の一方側端部は、ステージ７において、透過照明光路Ｌ１を挟んでコンデンサレンズ先玉４２の退避位置側に、回転軸を中心に回動可能に支持されている。回転軸の向きは、遮光部材７７の円盤状面と平行であり、顕微鏡の前後向きである。
【００５９】
遮光部材７７の他方側端部は、コンデンサレンズ先玉４２の遮光位置側に向かって突出している。この状態で、遮光部材７７が透過照明光路Ｌ１に挿入されて遮光状態となっている。尚、遮光部材７７は、蛍光照明によって励起光を発生し難い金属等の材質によって形成されている。
【００６０】
遮光部材７７は、回転軸を中心として、挿入位置と退避位置との間を回動する。挿入位置は、前述した遮光部材７７が透過照明光路Ｌ１に挿入されて遮光状態となる位置である。退避位置は、遮光部材７７が透過照明光路Ｌ１から完全に脱離する位置である。遮光部材７７は、ネジリコイルバネ７８によって、遮光部材７が挿入位置側に回動する向きに付勢されている。
【００６１】
コンデンサレンズ先玉４２が遮光位置に配置されている際には、遮光部材７７が、透過照明光路に挿入された状態となっている。そして、この状態からコンデンサレンズ先玉４２を挿入位置方向に回動させると、先玉保持腕４２ａの頭部が遮光部材４４に当接し、遮光部材４４を押しのけるようにして、コンデンサレンズ先玉４２が挿入位置に配置される。この際、先玉保持腕４２ａと遮光部材７７は当接した状態である。そして、更に、コンデンサレンズ先玉４２を退避位置方向に回動させると、先玉保持腕４２ａによって、遮光部材７７が押されて回動し、コンデンサレンズ先玉４２が退避位置に配置される。
【００６２】
また、コンデンサレンズ先玉４２を挿入位置或いは退避位置から遮光位置に回動させた際には、遮光部材７７は、ネジリコイルバネ７８によって、挿入位置側に付勢されているので、遮光部材７７が挿入位置に配置されるようになっている。
【００６３】
本実施の形態３における顕微鏡は、このように構成することにより、実施の形態１と同様の効果を奏する。また、遮光部材４４が、遮光状態の際には透過照明光路Ｌ１に斜めに挿入されているので、遮光部材７７に蛍光照明が照射された際に、その反射光が標本Ａに照射される割合が減り、蛍光観察を良好に行うことができる。また、ステージ７に遮光部材７７を設置しているので、標本Ａの直近に遮光部材７７を設置することができる。標本Ａの直近においては、蛍光照明による励起光の光線束が小さく、遮光部材７７はその光線束の大きさに合わせて小さくすることができ、コンパクトに構成できる。
【００６４】
（実施の形態４）
図７は、本実施の形態４にかかる顕微鏡の要部であるコンデンサを示す平面図であり、図８は同背面図である。以下、実施の形態１で説明した部分と同様な部分には同じ符号を付し、説明を省略する。
【００６５】
本実施の形態４にかかる顕微鏡は、実施の形態１の顕微鏡１において、コンデンサ３６の代わりに、コンデンサ８０を設置したものである。コンデンサ８０は、ターレット４１と、コンデンサレンズ先玉８１と、第一群レンズ４３と、これらを支持するコンデンサ枠体を備えている。コンデンサ枠体は、ターレット支持部４７と、先玉支持部５１と、第一群レンズ保持部５２とを有している。
【００６６】
コンデンサレンズ先玉８１は、先玉保持腕８２と先玉レンズ４２ｂと平行リンク機構８３と遮光部材８４とを有している。先玉保持腕８２は、その一端側が先玉支持部５１の背面側に平行リンク機構８３を介して支持されるとともに、他端側がターレット４１の上側に被さるように形成されている。先玉保持腕８２の上側に被さっている部分（以下、頭部と記す）には、先玉レンズ４２ｂが設置されている。先玉保持腕８２は、平行リンク機構８３によって、先玉支持部５１に対して移動可能となっている。
【００６７】
平行リンク機構８３は、回転軸８３ａ，８３ｂ，８３ｃ，８３ｄとリンク棒８３ｅ，８３ｆを有している。回転軸８３ａ，８３ｂは、顕微鏡の前後方向に伸びるように先玉支持部５１に設置されている。また、少なくとも回転軸８３ｂは、先玉支持部５１に対して回動可能である。回転軸８３ａ，８３ｂは、その端部が、先玉支持部５１の背面側に突出しており、その突出部分にリンク棒８３ｅ，８３ｆがそれぞれ支持されている。
【００６８】
リンク棒８３ｅ，８３ｆは、一端側が回転軸８３ａ，８３ｂに支持されているとともに、他端側がそれぞれ回転軸８３ｃ，８３ｄを介して、先玉保持腕８２に回動可能に支持されている。リンク棒８３ｅ，８３ｆは互いに平行となるように設置されている。
【００６９】
回転軸８３ｃ、８３ｄは、先玉保持腕８２に前後向きに設置されている。回転軸８３ａ，８３ｂ，８３ｃ，８３ｄは互いに平行に配置されており、リンク棒８３ｅ，８３ｂが互いに平行状態を保ったまま、先玉支持部５１に対して回動可能となっている。平行リンク機構８３は、回転軸８３ｂに連結されている図示しない操作部を回転させることにより回動する。
【００７０】
遮光部材８４は、平板状に形成され、先玉保持腕８２の頭部から、コンデンサレンズ先玉８１の移動方向一方側（退避位置側）に突出している。遮光部材７２は、その板状面がステージ７或いはターレット４１と平行となるように配置されている。遮光部材８４は、蛍光照明によって励起光を発生し難い金属等の材質によって形成されている。
【００７１】
コンデンサレンズ先玉８１は、平行リンク機構８３によって平行移動することにより、挿入位置と、退避位置と、遮光位置とに配置される。挿入位置は、先玉レンズ４２ｂが透過照明光路Ｌ１に挿入される位置である。挿入位置において先玉レンズ４２ｂは、顕微鏡の背面側からみて、先玉回転軸５３を中心として１２時の方向に配置されている。
【００７２】
退避位置は、コンデンサレンズ先玉８１を挿入位置から一方側に移動させた位置であり、先玉レンズ４２ｂが透過照明光路Ｌ１から完全に離脱した状態となる。遮光位置は、コンデンサレンズ先玉８１を挿入位置から他方側に移動させた位置であり、先玉レンズ４２ｂが透過照明光路Ｌ１から完全に離脱した状態となっている。コンデンサレンズ先玉８１が、遮光位置に配置された状態で、遮光部材８４が透過照明光路Ｌ１に挿入され、遮光する。
【００７３】
本実施の形態４における顕微鏡は、このように構成することにより、実施の形態１と同様の効果を奏する。本実施の形態４においては、遮光部材８４が、ステージ７或いはターレット４１と平行に配置されているとともに、平行リンク機構８３により平行移動するため、遮光部材８４がターレット４１或いはステージ７に干渉することを防止できる。尚、本実施の形態４においては、平行リンク機構８３により先玉保持腕８２が移動するが、同様に、透過照明光路Ｌ１に対する姿勢を保ったまま移動できる機構、例えば、山型にスライドするアリ、リニアガイド等でも同様の効果を奏する。
【００７４】
（実施の形態５）
図９は、本実施の形態５にかかる顕微鏡の要部であるコンデンサを示す背面図である。図１０は、本実施の形態５におけるコンデンサレンズ先玉の変形例を示す背面図である。以下、実施の形態１で説明した部分と同様な部分には同じ符号を付し、説明を省略する。
【００７５】
本実施の形態５にかかる顕微鏡は、実施の形態１の顕微鏡１において、コンデンサ３６の代わりに、コンデンサ９０を設置したものである。コンデンサ９０は、コンデンサレンズ先玉９２と、第一群レンズ４３と、これらを支持するコンデンサ枠体を備えている。コンデンサ枠体は、先玉支持部５１と、第一群レンズ保持部５２とを有している。
【００７６】
コンデンサレンズ先玉９２は、先玉保持腕４２ａと先玉レンズ４２ｂと遮光部材９４とを有している。先玉保持腕４２ａは、その一端側が先玉支持部５１の背面側に回動可能に支持されるとともに、他端側が先玉支持部５１の上側に被さるように形成されている。先玉保持腕４２ａの先玉支持部５１上側に被さっている部分（以下、頭部と記す）には、先玉レンズ４２ｂが設置されている。先玉保持腕４２ａの一端側には、先玉回転軸５３が固定されている。コンデンサレンズ先玉９２は、この先玉回転軸５３を介して、先玉支持部５１に支持されている。コンデンサレンズ先玉９２は、先玉回転軸５３を回動中心として、先玉支持部５１に対して回動する。
【００７７】
コンデンサレンズ先玉９２は、回動することにより、挿入位置と、退避位置と、遮光位置とに配置される。挿入位置は、先玉レンズ４２ｂが透過照明光路Ｌ１に挿入される位置である。挿入位置において先玉レンズ４２ｂは、顕微鏡の背面側からみて、先玉回転軸５３を中心として１２時の方向に配置されている。
【００７８】
退避位置は、コンデンサレンズ先玉９２を挿入位置から一方側に回動させた位置であり、先玉レンズ４２ｂが透過照明光路Ｌ１から完全に離脱した状態となる。遮光位置は、コンデンサレンズ先玉９２を挿入位置から他方側に回動させた位置であり、先玉レンズ４２ｂが透過照明光路Ｌ１から完全に離脱した状態となっている。コンデンサレンズ先玉９２が、遮光位置に配置された状態で、後述する遮光部材９４が透過照明光路Ｌ１に挿入されるようになっている。
【００７９】
遮光部材９４は、平板状に形成され、先玉保持腕４２ａの頭部から、コンデンサレンズ先玉８１の移動方向一方側（退避位置側）に突出している。遮光部材９４は、透過照明光路Ｌ１に挿入された際に、透過照明光路Ｌ１と略垂直となるように、先玉保持腕４２ａに設置されている。先玉レンズ４２ｂの透過照明光路Ｌ１からの退避動作と、遮光部材９４の透過照明光路Ｌ１への挿入動作が連動して行われる。遮光部材９４は、蛍光照明によって励起光を発生し難い金属等の材質によって形成されている。
【００８０】
本実施の形態５における顕微鏡は、このように構成することにより、実施の形態１と同様の効果を奏する。また、単純な構成のため、安価に構成できる。尚、遮光部材９４は、図１０に示すように、透過照明光路Ｌ１に対して、斜めに挿入されるように配置してもよい。先玉支持部には、ＤＩＣプリズムを設置してもよい。
【００８１】
（実施の形態６）
図１１は、本実施の形態６にかかる顕微鏡のコンデンサを示す平面図である。図１２は、同コンデンサの背面図である。図１３は、遮光部材１０１とコンデンサレンズ先玉４２の動きを示す説明図である。以下、実施の形態１で説明した部分と同様な部分には同じ符号を付し、説明を省略する。
【００８２】
本実施の形態６にかかる顕微鏡は、実施の形態１の顕微鏡１において、コンデンサ３６の代わりに、コンデンサ１００を設置したものである。コンデンサ１００は、ターレット４１と、コンデンサレンズ先玉４２と、第一群レンズ４３と遮光部材１０１と、これらを支持するコンデンサ枠体とを備えている。コンデンサ枠体は、ターレット支持部４７と、先玉支持部５１と、第一群レンズ保持部５２とを有している。
【００８３】
遮光部材１０１は、腕部１０１ａと遮光部１０１ｂを有している。腕部１０１ａは、その一端側が先玉支持部５１の背面側に回動可能に支持されるとともに、他端側がターレット４１の上側に被さるように形成されている。遮光部材１０１の上側に被さっているように形成されている部分の先端側は、略円盤状に形成され、遮光部１０１ｂとなっている。
【００８４】
腕部１０１ａの一端側には、回転軸５３が固定されており、遮光部材１０１がこの回転軸１０３を回動中心として回動するようになっている。遮光部材１０１は、この回転軸１０３を介して、先玉支持部５１に支持されている。
【００８５】
回転軸１０３は、顕微鏡の前後方向に伸びるように先玉支持部５１に設置されている。回転軸１０３の一方側端部は、先玉支持部５１の背面側に突出しており、この突出部分に遮光部材１０１が固定されている。回転軸１０３は、先玉支持部５１に対して、回動可能となっており、回転軸１０３が回動することにより一体に遮光部材１０１が回動する。従って、遮光部材１０１は、顕微鏡正面側からみて、時計回り方向及び半時計回り方向に回動するようになっている。この回動操作は、操作用回転軸１０２を介して行う。
【００８６】
操作用回転軸１０２は、顕微鏡の前後方向に伸びるように先玉支持部５１に設置されている。操作用回転軸１０２の一方側端部は、顕微鏡正面側に突出し、操作部となっている。操作用回転軸１０２の他方側端部は、先玉支持部５１の背面側に突出している。そして、この操作用回転軸１０２の他方側端部と、回転軸１０３の突出端部にかけ渡すようにして環状のベルト１０４が設置されている。このベルト１０４によって、操作用回転軸１０２の回動が回転軸１０３に伝達され、回転軸１０３が回動するようになっている。
【００８７】
遮光部材１０１は、回転軸１０３を回動中心として、先玉支持部５１に対して回動され、挿入位置と、退避位置とに配置される。挿入位置は、遮光部１０１ｂが透過照明光路Ｌ１に挿入される位置である。遮光部材１０１の少なくとも遮光部１０１ｂは、蛍光照明によって励起光を発生し難い金属等の材質によって形成されている。挿入位置において遮光部１０１ｂは、顕微鏡の背面側からみて、回転軸１０３を中心として１２時の方向に配置されている。
【００８８】
退避位置は、遮光部材１０１を挿入位置から一方側に回動させた位置であり、遮光部１０１ｂが透過照明光路Ｌ１から完全に離脱した状態となっている。この遮光部材１０１の退避位置は、実施の形態１におけるコンデンサレンズ先玉４２の遮光位置である。即ち、
本実施の形態６におけるコンデンサレンズ先玉４２は、実施の形態１における挿入位置と退避位置（以下、先玉退避位置と記す）に回動され、遮光位置には回動されない。本実施の形態６においては、実施の形態１におけるコンデンサレンズ先玉４２の遮光位置に、遮光部材１０１が配置されるようになっている。
【００８９】
図１３（ａ）に示すように、遮光部材１０１の遮光部１０１ｂが透過照明光路Ｌ１に挿入された状態、即ち挿入位置に配置された状態のときは、コンデンサレンズ先玉４２ｂは、先玉退避位置に配置されている。この状態から、コンデンサレンズ先玉４２を挿入位置へと回動させると、コンデンサレンズ先玉４２によって、遮光部材１０１がその退避位置へと押し出され、図１３（ｂ）の状態となる。
【００９０】
また、コンデンサレンズ先玉４２と遮光部材１０１とは互いに独立して操作可能であるので、それぞれ図１３（ｃ）〜（ｅ）に示す状態に配置することができる。
【００９１】
図１３（ｆ）に示すように、コンデンサレンズ先玉４２が透過照明光路Ｌ１に挿入されている場合、遮光部材１０１は、退避位置に配置されている。この状態から、遮光部材１０１を挿入位置に回動させると、遮光部材１０１がコンデンサレンズ先玉４２を先玉退避位置に押し出すこととなる。
【００９２】
本実施の形態６における顕微鏡は、このように構成することにより、実施の形態１と同様の効果を奏する。また、遮光部材１０１とコンデンサレンズ先玉４２の操作部が独立しているので、意図する操作を確実に行うことができる。
【００９３】
（実施の形態７）
図１４は、本実施の形態７にかかる顕微鏡のコンデンサを示す平面図である。図１５は、同コンデンサの背面図である。以下、実施の形態１で説明した部分と同様な部分には同じ符号を付し、説明を省略する。
【００９４】
本実施の形態７にかかる顕微鏡は、実施の形態１の顕微鏡１において、コンデンサ３６の代わりに、コンデンサ１１０を設置したものである。
【００９５】
コンデンサ１１０は、ターレット１１４（光学素子保持部材）と、コンデンサレンズ先玉４２と、第一群レンズ４３と、これらを支持するコンデンサ枠体を備えている。コンデンサ枠体は、ターレット支持部４７と、先玉支持部５１と、第一群レンズ保持部５２とを有している。
【００９６】
コンデンサレンズ先玉４２は先玉回転軸５３に固定されている。先玉回転軸５３は、操作用回転軸１１５の回動がベルト５５を介して伝達される。操作用回転軸１１５は、モータ１１１によって回動される。モータ１１１は、コントローラ１１３によって制御される。またターレット１１４もモータ１１２によって回動する。
【００９７】
ターレット１１４は、略円盤状に形成され、回転軸４６を中心に回転するようになっている。ターレット１１４の回転軸４６の周囲には、光学素子４８ａ，４８ｂ，４８ｃ，４８ｄが同一円周上に備えられ、ターレット１１４を回転させることにより、所望の光学素子が選択的に透過照明光路Ｌ１に挿入できるようになっている。また、本実施の形態７においては、ターレット１１４の一部を遮光部材としている。即ち、光学素子４８ａ，４８ｂ，４８ｃ，４８ｄが備えられている円周上において、少なくとも一対の光学素子４８ａ，４８ｂ，４８ｃ，４８ｄの間隔を遮光に必要なだけ開けて遮光部としている。そして、ターレット１１４を回転させることによりその遮光部を透過照明光路Ｌ１に挿入し、遮光する。遮光部は、蛍光照明によって励起光を発生し難い金属等の材質によって形成されている。
【００９８】
本実施の形態７における顕微鏡は、このように構成することにより、実施の形態１と同様の効果を奏する。尚、本実施の形態７においては、ターレット１１４の一部を遮光部材としているが、光学素子を透過照明光路Ｌ１に挿脱する光学素子保持部材として、スライダーを備え、スライダーの一部を遮光部材としてもよい。
【００９９】
（実施の形態８）
図１６は、本実施の形態８にかかる顕微鏡を示す側面図である。以下、実施の形態１で説明した部分と同様な部分には同じ符号を付し、説明を省略する。
【０１００】
本実施の形態８にかかる顕微鏡１２１は、実施の形態１の顕微鏡１と同様の構成を有し、更に、観察側ターレット２６の切り替えをモータ１２２（切替検出手段）で行うようにしている。また、コンデンサレンズ先玉４２及び遮光部材４４の透過照明光路への挿脱をモータ１２３で行う。モータ１２２及びモータ１２３は、コントローラ１２４（制御装置）により制御を行う。
【０１０１】
コントローラ１２４により、観察側ターレット２６の光学ユニットを透過観察用のものから蛍光観察用のものに切り替えた際に、コンデンサレンズ先玉４２を遮光位置に配置するようになっている。
【０１０２】
本実施の形態８における顕微鏡は、このように構成することにより、実施の形態１と同様の効果を奏する。また、蛍光観察状態に切り替えた際に、自動的に遮光部材４４が透過照明光路Ｌ１に挿入されるので、顕微鏡の操作を簡略化できる。尚、本実施の形態８においては、実施の形態１の顕微鏡にモータ１２２とモータ１２３とコントローラ１２４とを設けているが、これらモータ１２２とモータ１２３とコントローラ１２４とは、実施の形態２〜６の顕微鏡に設置しても本実施の形態と同様の効果を奏する。
【図面の簡単な説明】
【０１０３】
【図１】本発明の実施の形態１における顕微鏡の構成を示す側面図である。
【図２】同上の顕微鏡のコンデンサを示す平面図である。
【図３】同上の背面図である。
【図４】同上のコンデンサに設置された遮光部材の動きを示す平面図である。
【図５】本発明の実施の形態２におけるコンデンサを示す背面図である。
【図６】本発明の実施の形態３におけるコンデンサを示す背面図である。
【図７】本発明の実施の形態４におけるコンデンサの要部を示す平面図である。
【図８】同上のコンデンサを示す背面図である。
【図９】本発明の実施の形態５におけるコンデンサを示す背面図である。
【図１０】同上の変形例を示す背面図である。
【図１１】本発明の実施の形態６におけるコンデンサを示す平面図である。
【図１２】同上のコンデンサを示す背面図である。
【図１３】（ａ）〜（ｇ）同上のコンデンサにおけるコンデンサレンズ先玉と遮光部材の動きを示す説明図である。
【図１４】本発明の実施の形態７におけるコンデンサを示す平面図である。
【図１５】同上のコンデンサを示す背面図である。
【図１６】本発明の実施の形態８における顕微鏡の構成を示す側面図である。
【符号の説明】
【０１０４】
Ｌ１  透過照明光路
Ａ  標本
１  顕微鏡
１７  落射蛍光照明光学系
１８  透過照明光学系
４２ｂ  先玉レンズ（近接光学部品）
４４  遮光部材
【図１】
2010156847.tif 000003
【図２】
2010156847.tif 000004
【図３】
2010156847.tif 000005
【図４】
2010156847.tif 000006
【図５】
2010156847.tif 000007
【図６】
2010156847.tif 000008
【図７】
2010156847.tif 000009
【図８】
2010156847.tif 000010
【図９】
2010156847.tif 000011
【図１０】
2010156847.tif 000012
【図１１】
2010156847.tif 000013
【図１２】
2010156847.tif 000014
【図１３】
2010156847.tif 000015
【図１４】
2010156847.tif 000016
【図１５】
2010156847.tif 000017
【図１６】
2010156847.tif 000018